(57)【要約】      （修正有）【課題】強度を確保しながら挟持片を薄くして、嵩張らないクリップ付ハンガーを提供する。【解決手段】クリップ付ハンガー１は、フック４により吊り持たれる棒状の腕部６と、腕部６に支持されるクリップ３とを備えている。クリップ３は、腕部６を挟んで対向する一対の挟持片３１，３１と、腕部６の下側において一対の挟持片３１，３１を束ねるよう一対の挟持片３１，３１に外嵌されたエラストマー製リング３２とを有する。挟持片３１，３１は、上端から下端に向けて幅が広くなることが好ましい。【選択図】図１
2014212794.tif 000002
【特許請求の範囲】
【請求項１】
フックと、前記フックにより吊り持たれる棒状の腕部と、前記腕部に支持されるクリップを備えるクリップ付ハンガーであって、
前記クリップは、前記腕部を挟んで前後に対向する一対の挟持片と、前記腕部の下側において前記一対の挟持片を束ねるよう前記一対の挟持片に外嵌されたエラストマー製リングとを有することを特徴とするクリップ付ハンガー。
【請求項２】
前記挟持片は、前記上端から下端に向けて幅が広くなる請求項１に記載のクリップ付ハンガー。
【発明の詳細な説明】
【技術分野】
【０００１】
この発明は、衣服やタオル等をクリップで吊り下げるクリップ付ハンガーに関する。
【背景技術】
【０００２】
従来、衣服やタオル等をクリップで挟持して吊り下げるクリップ付ハンガーが広く利用されている。ところが、従来のクリップ付ハンガーは、クリップを広げるために操作するつまみ部分がハの字に広がって嵩張るため、クローゼットのハンガーパイプに並べるときなど、吊り下げる数が限られるという問題が有った。そこで、本発明者は、クリップの挟持片を薄くして、つまみ部分間の寸法を抑えることに想到した。
【先行技術文献】
【特許文献】
【０００３】
【特許文献１】特願２０００−２４５６１３号公報
【特許文献２】特願２０００−５１０５１号公報
【発明の概要】
【発明が解決しようとする課題】
【０００４】
しかし、従来のハンガー用クリップは、クリップを閉じる方向に付勢する付勢手段を一対の挟持片間に架け渡すために、挟持片に付勢手段を通すための窓部が設けられている。例えば特許文献１では、Ｕ字の付勢手段の湾曲部を通すために、特許文献２では、Ｉ字型のゴム製の付勢手段の縦線部を通すために、それぞれ挟持片に窓部が設けられている。この窓部は挟持片の強度を低下させるものであるため、窓部を有する形状のまま挟持片を薄くすると、クリップをつまむ際に挟持片が破損する虞が有った。
【０００５】
本発明は、上記課題に鑑みてなされたものであり、強度を確保しながら挟持片を薄くして、嵩張らないクリップ付ハンガーを提供することを目的とする。
【課題を解決するための手段】
【０００６】
上記課題を解決するためになされた発明は、クリップと、前記クリップを支持する棒状の腕部と、前記棒状の腕部を吊り持つためのフックとを備えたクリップ付ハンガーであって、前記クリップは、前記腕部を挟んで前後に対向する一対の挟持片と、前記腕部の下側において前記一対の挟持片を束ねるよう前記一対の挟持片に外嵌されたエラストマー製リングとを有することを特徴とする。
【０００７】
本発明に係るクリップ付ハンガーでは、このように、一対の挟持片が腕部を挟んで対向し、腕部の下側においてエラストマー製リングで束ねられているので、挟持片に窓部を設けることなく一対の挟持片にエラストマー製リングを架け渡して、対向する挟持片が腕部の下側部分で密着するように付勢できる。
【０００８】
本発明のクリップ付ハンガーは、前記挟持片が、上端から下端に向けて幅が広くなることが好ましい。こうすることで、棒状部に取付ける前に一対の挟持片に上側からエラストマー製リングを環装しやすく、かつ一対の挟持片を棒状部に取付けた後は、エラストマー製リングの挟持片先端側への脱着を防止することができる。
【発明の効果】
【０００９】
以上説明したように、本発明のクリップ付ハンガーによれば、強度を確保しながら挟持片を薄くして、嵩張らないようにすることができる。
【図面の簡単な説明】
【００１０】
【図１】本発明の一の実施の形態に係るクリップ付ハンガーの斜視図である。
【図２】図１のクリップ付ハンガーの正面図である。
【図３】図１のクリップ付ハンガーの背面図である。
【図４】図１のクリップ付ハンガーの平面図である。
【図５】図１のクリップ付ハンガーの底面図である。
【図６】図１のクリップ付ハンガーの右側面図である。
【図７】図１のクリップ付ハンガーの左側面図である。
【図８】図１のクリップ付ハンガーの挟持片の（ａ）内面側から見た斜視図、及び（ｂ）外面側からみた斜視図である。
【発明を実施するための形態】
【００１１】
以下、適宜図面を参照しながら本発明の実施形態について詳述する。図１は、本発明の一の実施の形態に係るクリップ付ハンガー１を示している。クリップ付ハンガー１は、本体部２と、一対のクリップ３，３とを主に備えている。尚、本発明は以下の実施形態に限られるものではない。
【００１２】
本体部２は、樹脂により一体成型され、フック４と、フック４の基端部に設けられる正面視台形状の胴部５と、胴部５の両端から正面視左右方向へ延出する腕部６とを有し、各部とも前後方向（図２の奥行き方向）を厚み方向とする薄板状に形成されている。本体部２は、前面、及び背面の周縁に沿って前後方向へ突出するリブ２１，２１が設けられている。
【００１３】
クリップ３は、一対の挟持片３１，３１とエラストマー製リング３２とから組み立てられる。挟持片３１は、樹脂により一体成型され、図２に示すように、正面視で略長方形状を有し、上端から下端に向けて徐々に幅が広くなるよう形成されている。挟持片３１は、図８（ａ）に示すように内面側に上下方向に延びる４本の凸条３１ａ，３１ｂ，３１ｃ，３１ｄが設けられており、このうち３１ｃの上部のテーパ部分が、背面視で（内面側から見て）右側に偏らせて設けられ、一対の挟持片３１，３１の内面どうしを合わせたときに、凸条３１ｂと互い違いになるよう構成されている。凸条３１ａ〜３１ｄの間には、一対の挟持片３１，３１を重ね合わせたときに、互いに係合してクリップが開閉するときの支点となる支点用リブ３１ｅ及び支点受け部３１ｆが設けられている。また、内面の下端部には、スポンジ３１が貼付された挟持部３１ｉが設けられている。挟持部３１ｉは、図５に示すように底面視で波型に形成され、対向する挟持片３１，３１どうしで波の凹部に凸部（凸部に凹部が）が噛み合うよう構成されている。挟持片３１の外面には、図８（ｂ）に示すように、上端部に凹面に形成されたつまみ部３１ｇが設けられ、支点用リブ３１ｅより下の位置にエラストマー製リング３２を係止する係止溝３１ｈが設けられている。
【００１４】
クリップ３を腕部６に取付ける手順について説明すると、まず、一対の挟持片３１，３１の内面どうしを向き合わせて重ねる。次に、重ね合わせた一対の挟持片３１，３１を、幅の狭い上端側からエラストマー製リング３２に挿通し、係合溝３１ｈへエラストマー製リング３２を係合させるとクリップ３が完成する。この状態で一対の挟持片３１，３１の上端部を広げてその間に腕部６を挟み込み、クリップ３を腕部６に取付ける。ここで、挟持片３１は、上方から下方に向かって幅が少しずつ広くなるよう形成されているため、上方からエラストマー製リング３２に通し易く、また、クリップ３を腕部６に取付けた後は、挟持片の下側（図２の下側）へ抜けにくい。さらに、一対の挟持片３１、３１は、凸条３１ｂ及び３１ｃと、これらから背面視右方向へ延出した支点用リブ３１ｅ，３１ｅとが左右方向に互い違いに嵌合しており、かつ挟持部３１ｉが、対向する挟持片３１，３１どうしで波型の凹凸が噛み合うよう構成されているため、対向する挟持片３１，３１の横方向へのずれが防止されている。
【００１５】
エラストマー製リング３２として、好ましくは、シリコン樹脂あるいはウレタン樹脂を用いるが、これに限らず、天然、人口いずれのエラストマーを用いてもよく、熱硬化性、熱可塑性のいずれのエラストマーを用いてもよい。
【００１６】
クリップ付ハンガー１を用いる場合には、クリップ３のつまみ部３１ｇをつまんでクリップ３を開き、ハンガー１に吊り下げる衣服を一対の挟持部３１ｉ，３１ｉに挟み込んで、クリップ３に吊り下げる。衣服をクリップ３に吊り下げるとフック４をクローゼットのハンガーパイプ等に引き掛ける。
【００１７】
本発明のクリップ付ハンガーは、上記の実施形態に限らず、例えば、フックと腕部は、別体に形成されてもよい。また、各部とも、樹脂に限らず木材や金属を用いて形成することができる。
【符号の説明】
【００１８】
１  クリップ付ハンガー
３  クリップ
３１  挟持片
３２  エラストマー製リング
６  腕部
【図１】
2014212794.tif 000003
【図２】
2014212794.tif 000004
【図３】
2014212794.tif 000005
【図４】
2014212794.tif 000006
【図５】
2014212794.tif 000007
【図６】
2014212794.tif 000008
【図７】
2014212794.tif 000009
【図８】
2014212794.tif 000010